(57)【特許請求の範囲】
【請求項１】
入力側プロファイルと出力側プロファイルとを組み合わせたデバイスリンクプロファイルを作成するデバイスリンクプロファイル作成装置であって、
デバイスリンクプロファイルの構造としてｌｕｔＢｔｏＡＴｙｐｅの構造を使用し、
前記ｌｕｔＢｔｏＡＴｙｐｅの構造には、第１の一次元γカーブと、マトリクスと、第２の一次元γカーブと、色変換ルックアップテーブルと、第３の一次元γカーブとが含まれ、
前記第１の一次元γカーブに、入力側プロファイルの一次元γカーブが格納され、
前記マトリクスに、入力側プロファイルのマトリクスおよび出力側プロファイルのマトリクスが格納され、
前記第２の一次元γカーブに、出力側プロファイルの一次元γカーブが格納され、
前記色変換ルックアップテーブルに、出力側プロファイルの色変換ルックアップテーブルが格納され、
前記第３の一次元γカーブに、出力側プロファイルの一次元γカーブが格納される、デバイスリンクプロファイル作成装置。
【請求項２】
ＲＧＢモニタプロファイルとＣＭＹＫプリンタプロファイルとを組み合わせた、ＲＧＢからＣＭＹＫへの色変換用のデバイスリンクプロファイルを作成する、請求項１に記載のデバイスリンクプロファイル作成装置。
【請求項３】
前記ｌｕｔＢｔｏＡＴｙｐｅの構造をｐｒｉｖａｔｅタグとしてプロファイルに格納する、請求項１又は２に記載のデバイスリンクプロファイル作成装置。
【請求項４】
入力側プロファイルと出力側プロファイルとを組み合わせたデバイスリンクプロファイルを作成するデバイスリンクプロファイル作成装置であって、
前記入力側プロファイルは、γテーブルとマトリクスとを含み、
前記出力側プロファイルは、マトリクスとγテーブルとルックアップテーブルとを含み、
前記入力側プロファイルのマトリクスと、前記出力側プロファイルのマトリクスとを組み合わせてマトリクスを作成し、デバイスリンクプロファイル内に保持させる、デバイスリンクプロファイル作成装置。
【請求項５】
請求項１から４のいずれかに記載のデバイスリンクプロファイル作成装置で作成されたデバイスリンクプロファイルを保持する保持手段と、
画像データを受信する画像データ受信部と、
前記保持されたデバイスリンクプロファイルを用いて前記受信された画像データの色変換処理を行なう色変換手段と、
前記色変換が行なわれた画像データを送信する画像データ送信部とを備えた、色変換処理装置。
【請求項６】
入力側プロファイルと出力側プロファイルとを組み合わせたデバイスリンクプロファイルを作成するデバイスリンクプロファイル作成方法であって、
前記入力側プロファイルは、γテーブルとマトリクスとを含み、
前記出力側プロファイルは、マトリクスとγテーブルとルックアップテーブルとを含み、
前記デバイスリンクプロファイル作成方法は、前記入力側プロファイルのマトリクスと、前記出力側プロファイルのマトリクスとを組み合わせてマトリクスを作成する作成ステップと、
前記作成ステップにより作成されたマトリクスをデバイスリンクプロファイル内に保持させる保持ステップとを備える、デバイスリンクプロファイル作成方法。
【請求項７】
入力側プロファイルと出力側プロファイルとを組み合わせたデバイスリンクプロファイルを作成するデバイスリンクプロファイル作成プログラムであって、
前記入力側プロファイルは、γテーブルとマトリクスとを含み、
前記出力側プロファイルは、マトリクスとγテーブルとルックアップテーブルとを含み、
前記デバイスリンクプロファイル作成プログラムは、前記入力側プロファイルのマトリクスと、前記出力側プロファイルのマトリクスとを組み合わせてマトリクスを作成する作成ステップと、
前記作成ステップにより作成されたマトリクスをデバイスリンクプロファイル内に保持させる保持ステップとをコンピュータに実行させる、デバイスリンクプロファイル作成プログラム。
【発明の詳細な説明】
【技術分野】
【０００１】
この発明はデバイスリンクプロファイル作成装置、および色変換処理装置に関し、特に、入力側デバイスのプロファイルと出力側デバイスのプロファイルとを組み合わせてデバイスリンクプロファイルを作成するデバイスリンクプロファイル作成装置、および作成されたデバイスリンクプロファイルを使用して色変換を行なう色変換処理装置に関する。
【背景技術】
【０００２】
デジタルカメラ、モニタ、ＭＦＰ（Multi Function
Peripheral）、複写機、ファクシミリ装置などの複数のデバイスの間でカラーマッチングを行なうために、複数のデバイスプロファイルを用いて色変換を行なう技術が存在する。
【０００３】
ＩＣＣ（International Color Consortium）プロファイルを使用して、モニタＲＧＢからプリンタＣＭＹＫのＲＧＢ→ＣＭＹＫの色変換処理を行う場合、以下（Ａ）、（Ｂ）のいずれかの方法が一般的に使用されていた。
【０００４】
（Ａ）  入力ＲＧＢのＩＣＣプロファイル、および出力ＣＭＹＫのＩＣＣプロファイルを、色変換時に順に適用する方法。
【０００５】
（Ｂ）  予めＲＧＢ→ＣＭＹＫのＩＣＣデバイスリンクプロファイルを作成し、色変換時にそれを適用する方法。
【０００６】
上記（Ａ）の方法を用いた場合、色変換の精度は最も高くなる。しかしながら、画像毎に色変換処理を繰り返し行う必要があるため、処理時間が増大するという問題がある。
【０００７】
一方、上記（Ｂ）の方法は、予め２つのプロファイルを１つにまとめておくため、同一のプロファイルによる色変換処理を複数画像に適用する際に、処理時間を短縮することができるというメリットがある。
【０００８】
デバイスリンクプロファイルに関する技術として、下記特許文献１には、明度特性に相当する変換が含まれている場合に十分な精度で色変換を行なうデバイスリンクプロファイルの作成方法が開示されている。
【０００９】
下記特許文献２には、ソースプロファイルおよび出力プロファイルのセットと、デバイスリンクプロファイルを排他的に選択させる画像処理装置が開示されている。
【特許文献１】特開２００５−２８６９０４号公報
【特許文献２】特開２００５−３４０９２６号公報
【発明の開示】
【発明が解決しようとする課題】
【００１０】
ＩＣＣデバイスリンクプロファイルは、その仕様上、内部にＲＧＢ→ＣＭＹＫ色変換用のＡｔｏＢ０タグを保持している。ＩＣＣ  Ｖｅｒ.２では、ＡｔｏＢ０タグとして、ｌｕｔ８Ｔｙｐｅ、ｌｕｔ１６Ｔｙｐｅの２つの構造が用意されており、その構造は次の通りとなっている。
【００１１】
（ａ）３×３ｍａｔｒｉｘ（未使用）＋（ｂ）一次元γテーブル＋（ｃ）色変換ＬＵＴ（ルックアップテーブル）＋（ｄ）一次元γテーブル
【００１２】
図８は、デバイスリンクプロファイルの構造を示す図である。
【００１３】
図に示されるように、デバイスリンクプロファイルＤは、一次元γテーブル７０１と、色変換ＬＵＴ７０３と、一次元γテーブル７０５とから構成される。
【００１４】
一次元γテーブルは、入力と出力とを対応させるテーブルであり、色変換ＬＵＴは、例えばＲＧＢの各値に対するＣＭＹＫの各値を記録するテーブルである。
【００１５】
このような、ＲＧＢ→ＣＭＹＫのデバイスリンクプロファイルを作成する為には、入力ＲＧＢのＩＣＣプロファイル（モニタプロファイル）と出力ＣＭＹＫのＩＣＣプロファイル（プリンタプロファイル）をリンクさせることが一般的である。
【００１６】
図９は、一般的なモニタプロファイルの構造を示す図である。
【００１７】
図に示されるように、モニタプロファイルＭは、（１）一次元γテーブル７１１と、（２）３×３のマトリクス７１３とから構成される。
【００１８】
図１０は、一般的なプリンタプロファイルの構造を示す図である。
【００１９】
図に示されるように、プリンタプロファイルＰは、（３）３×３のマトリクス７２１と、（４）一次元γテーブル７２３と、（５）色変換ＬＵＴ７２５と、（６）一次元γテーブル７２７とから構成される。
【００２０】
すなわち、上記（１）〜（６）を組み合わせて、上記（ａ）〜（ｄ）の構造に変換する必要がある。この場合、通常は以下のように対応させることとなる。
【００２１】
・（ａ）←未使用
【００２２】
・（ｂ）←（１）
【００２３】
・（ｃ）←（２）＋（３）＋（４）＋（５）
【００２４】
・（ｄ）←（６）
【００２５】
このとき、本来色変換情報の中の線形成分と非線形成分を分離するための、３×３マトリクス（２），（３）、一次元γテーブル（４）、および色変換ＬＵＴ（５）の各情報が、（ｃ）色変換ＬＵＴのところでひとくくりにされてしまうため、色変換（補間）精度が低下するという問題があった。
【００２６】
実際に、１７＾３個のＲＧＢ値に対して、前述（Ａ）の、入力ＲＧＢのＩＣＣプロファイル、および出力ＣＭＹＫのＩＣＣプロファイルを、色変換時に順に適用することによるＲＧＢ→ＣＭＹＫ色変換方法と、前述（Ｂ）の、予めＲＧＢ→ＣＭＹＫのＩＣＣデバイスリンクプロファイルを作成し、色変換時にそれを適用することによるＲＧＢ→ＣＭＹＫ色変換方法との両者を用いて色変換を行ない、変換後のＣＭＹＫ値の誤差成分を算出した結果を図１１に示す。
【００２７】
図１１は、色変換方法の違いによる誤差を示す図である。
【００２８】
図１１のグラフの横軸はＣＭＹＫの誤差値を示し、縦軸はその誤差値を有するサンプル数を示す。
【００２９】
図に示されるように、（Ｂ）の方法を採用すると、（Ａ）の方法を採用した時とは異なるＣＭＹＫ値が算出される場合が発生し、色変換精度が落ちるという問題がある。
【００３０】
この発明はそのような問題点を解決するためになされたものであり、色変換誤差が少ないデバイスリンクプロファイルを作成することができるデバイスリンクプロファイル作成装置、および色変換処理装置を提供することを目的としている。
【課題を解決するための手段】
【００３１】
上記目的を達成するためこの発明のある局面に従うと、デバイスリンクプロファイル作成装置は、入力側プロファイルと出力側プロファイルとを組み合わせたデバイスリンクプロファイルを作成するデバイスリンクプロファイル作成装置であって、デバイスリンクプロファイルの構造としてｌｕｔＢｔｏＡＴｙｐｅの構造を使用し、ｌｕｔＢｔｏＡＴｙｐｅの構造には、第１の一次元γカーブと、マトリクスと、第２の一次元γカーブと、色変換ルックアップテーブルと、第３の一次元γカーブとが含まれ、第１の一次元γカーブに、入力側プロファイルの一次元γカーブが格納され、マトリクスに、入力側プロファイルのマトリクスおよび出力側プロファイルのマトリクスが格納され、第２の一次元γカーブに、出力側プロファイルの一次元γカーブが格納され、色変換ルックアップテーブルに、出力側プロファイルの色変換ルックアップテーブルが格納され、第３の一次元γカーブに、出力側プロファイルの一次元γカーブが格納される。
【００３２】
好ましくはデバイスリンクプロファイル作成装置は、ＲＧＢモニタプロファイルとＣＭＹＫプリンタプロファイルとを組み合わせた、ＲＧＢからＣＭＹＫへの色変換用のデバイスリンクプロファイルを作成する。
【００３５】
好ましくはデバイスリンクプロファイル作成装置は、ｌｕｔＢｔｏＡＴｙｐｅの構造をｐｒｉｖａｔｅタグとしてプロファイルに格納する。
【００３７】
この発明の他の局面に従うと、デバイスリンクプロファイル作成装置は、入力側プロファイルと出力側プロファイルとを組み合わせたデバイスリンクプロファイルを作成するデバイスリンクプロファイル作成装置であって、入力側プロファイルは、γテーブルとマトリクスとを含み、出力側プロファイルは、マトリクスとγテーブルとルックアップテーブルとを含み、入力側プロファイルのマトリクスと、出力側プロファイルのマトリクスとを組み合わせてマトリクスを作成し、デバイスリンクプロファイル内に保持させる。
【００３８】
この発明のさらに他の局面に従うと色変換処理装置は、上記いずれかに記載のデバイスリンクプロファイル作成装置で作成されたデバイスリンクプロファイルを保持する保持手段と、画像データを受信する画像データ受信部と、保持されたデバイスリンクプロファイルを用いて受信された画像データの色変換処理を行なう色変換手段と、色変換が行なわれた画像データを送信する画像データ送信部とを備える。
【００３９】
この発明のさらに他の局面に従うとデバイスリンクプロファイル作成方法は、入力側プロファイルと出力側プロファイルとを組み合わせたデバイスリンクプロファイルを作成するデバイスリンクプロファイル作成方法であって、入力側プロファイルは、γテーブルとマトリクスとを含み、出力側プロファイルは、マトリクスとγテーブルとルックアップテーブルとを含み、デバイスリンクプロファイル作成方法は、入力側プロファイルのマトリクスと、出力側プロファイルのマトリクスとを組み合わせてマトリクスを作成する作成ステップと、作成ステップにより作成されたマトリクスをデバイスリンクプロファイル内に保持させる保持ステップとを備える。
【００４０】
この発明のさらに他の局面に従うとデバイスリンクプロファイル作成プログラムは、入力側プロファイルと出力側プロファイルとを組み合わせたデバイスリンクプロファイルを作成するデバイスリンクプロファイル作成プログラムであって、入力側プロファイルは、γテーブルとマトリクスとを含み、出力側プロファイルは、マトリクスとγテーブルとルックアップテーブルとを含み、デバイスリンクプロファイル作成プログラムは、入力側プロファイルのマトリクスと、出力側プロファイルのマトリクスとを組み合わせてマトリクスを作成する作成ステップと、作成ステップにより作成されたマトリクスをデバイスリンクプロファイル内に保持させる保持ステップとをコンピュータに実行させる。
【発明の効果】
【００４１】
これらの発明に従うと、色変換誤差が少ないデバイスリンクプロファイルを作成することができるデバイスリンクプロファイル作成装置、および色変換処理装置を提供することが可能となる。
【発明を実施するための最良の形態】
【００４２】
以下、本発明の実施の形態の１つにおける画像処理システムについて説明する。
【００４３】
本実施の形態における画像処理システムは、色変換処理を実行する。色変換処理においては、デバイスリンクプロファイルが用いられる。デバイスリンクプロファイルの構造として、ＩＣＣ  Ｖｅｒ.４で用意されているｌｕｔＢｔｏＡＴｙｐｅの構造を使用し、これにより補間精度を向上させる。
【００４４】
例えば、ＲＧＢモニタプロファイルとＣＭＹＫプリンタプロファイルを組み合わせた、ＲＧＢ→ＣＭＹＫ色変換用のデバイスリンクプロファイルを作成するとき、デバイスリンクプロファイルの構造としてｌｕｔＢｔｏＡＴｙｐｅの構造を使用し、それをｐｒｉｖａｔｅタグとしてプロファイルに格納する。
【００４５】
ｌｕｔＢｔｏＡＴｙｐｅの構造は、（Ａ）一次元γカーブ＋（Ｂ）マトリクス＋（Ｃ）一次元γカーブ＋（Ｄ）色変換ＬＵＴ＋（Ｅ）一次元γカーブから構成される。
【００４６】
上記（Ａ）〜（Ｅ）には、以下の情報が格納される。
【００４７】
（Ａ）←モニタプロファイルの一次元γカーブ（上記（１））
【００４８】
（Ｂ）←モニタプロファイルの３×３マトリクス（上記（２））＋プリンタプロファイルの３×３マトリクス（上記（３））
【００４９】
（Ｃ）←プリンタプロファイルの一次元γカーブ（上記（４））
【００５０】
（Ｄ）←プリンタプロファイルの色変換ＬＵＴ（上記（５））
【００５１】
（Ｅ）←プリンタプロファイルの一次元γカーブ（上記（６））
【００５２】
また、ｐｒｉｖａｔｅタグに、ｌｕｔＢｔｏＡＴｙｐｅの構造を格納させることで、特定の色変換エンジン（ＣＭＭ）と組み合わせたときのみそれを使用することができる。それ以外の色変換エンジンに対しては、従来通りＡｔｏＢ０タグを使用することができる。
【００５３】
図１は、本発明の実施の形態の１つにおける画像処理システムの構成を示すブロック図である。
【００５４】
図に示されるように画像処理システムは、画像入力装置１００と、色変換処理装置２００と、画像出力装置３００とから構成される。
【００５５】
画像入力装置１００としては、例えばデジタルカメラ、スキャナなどのデバイスが用いられ、画像出力装置３００としては、例えばインクジェットプリンタ、カラーレーザープリンタなどが用いられる。
【００５６】
色変換処理装置２００としては、パーソナルコンピュータ（ＰＣ）などが用いられる。
【００５７】
図２は、画像処理システムの機能構成を示すブロック図である。
【００５８】
デジタルカメラなどに代表される画像入力装置１００で読み取られた画像データは、コンピュータなどに代表される色変換処理装置２００に送られ、そこで画像データに対して適切な処理が施された後、プリンタ３００などに代表される画像出力装置に送られ、出力される。
【００５９】
画像入力装置１００は、画像データを送信する画像データ送信部１０１を備える。
【００６０】
色変換処理装置２００は、画像データを受信する画像データ受信部２０１と、画像データを一時格納する入力画像データ格納部２０３と、色変換部（ＣＰＵ）２０５と、ＩＣＣプロファイル格納部２０９と、色変換ＬＵＴ算出部（ＣＰＵ）２０７と、出力画像データ格納部２１１と、画像データ送信部２１３とを備える。
【００６１】
画像出力装置３００は、画像データ受信部３０１と、画像データ出力部３０３とを備える。
【００６２】
ＩＣＣプロファイル格納部２０９に格納されたＩＣＣプロファイルは、色変換ＬＵＴ算出部２０７により読み出され、これによりデバイスリンクプロファイルが作成される。作成されたデバイスリンクプロファイルは、ＩＣＣプロファイル格納部２０９に格納され、色変換部２０５により読み出され、色変換に用いられる。
【００６３】
図３および４は、画像処理システムが実行するデバイスリンクプロファイル算出処理を示すフローチャートである。
【００６４】
画像処理システムは、モニタプロファイルがｍａｔｒｉｘ−ｂａｓｅｄかＬＵＴ−ｂａｓｅｄかに応じて処理を切り替える。
【００６５】
ステップ（１）において、ＲＧＢモニタプロファイルを入力する。ステップ（２）において、ＣＭＹＫプリンタプロファイルを入力する。
【００６６】
ステップ（３）において、モニタプロファイルがｍａｔｒｉｘ−ｂａｓｅｄかＬＵＴ−ｂａｓｅｄかを判定し、ｍａｔｒｉｘ−ｂａｓｅｄであればステップ（４）以降の処理を実行し、ＬＵＴ−ｂａｓｅｄであればステップ（１１）からの処理を実行する。
【００６７】
ステップ（４）においては、モニタプロファイルのＴＲＣタグ情報をｌｕｔＢｔｏＡＴｙｐｅのＢｃｕｒｖｅに格納する。その後、ステップ（５）において、モニタプロファイルのマトリクスタグ情報をｌｕｔＢｔｏＡＴｙｐｅのマトリクスに格納する。
【００６８】
ステップ（６）において、プリンタプロファイルのマトリクス情報をｌｕｔＢｔｏＡＴｙｐｅのマトリクスと乗算する。
【００６９】
ステップ（７）において、プリンタプロファイルのｉｎｐｕｔＴａｂｌｅ情報をｌｕｔＢｔｏＡＴｙｐｅのＭｃｕｒｖｅに格納する。
【００７０】
ステップ（８）において、プリンタプロファイルのＬＵＴ情報をｌｕｔＢｔｏＡＴｙｐｅのＬＵＴに格納する。
【００７１】
ステップ（９）において、プリンタプロファイルのｏｕｔｐｕｔＴａｂｌｅ情報をｌｕｔＢｔｏＡＴｙｐｅのＡｃｕｒｖｅに格納する。
【００７２】
ステップ（１０）において、ｌｕｔＢｔｏＡＴｙｐｅのデータをＩＣＣプロファイルのｐｒｉｖａｔｅＴａｇに格納する。
【００７３】
ステップ（１１）において、モニタプロファイルの種類がｍａｔｒｉｘ−ｂａｓｅｄかＬＵＴ−ｂａｓｅｄかを判定し、ｍａｔｒｉｘ−ｂａｓｅｄであればステップ（１２）以降の処理を実行し、ＬＵＴ−ｂａｓｅｄであればステップ（１４）からの処理を実行する。
【００７４】
ｍａｔｒｉｘ−ｂａｓｅｄである場合、ステップ（１２）において、モニタプロファイルのＴＲＣタグ情報をｌｕｔ８／１６ＴｙｐｅのｉｎｐｕｔＴａｂｌｅに格納する。
【００７５】
ステップ（１３）において、モニタプロファイルのマトリクスタグ情報をｌｕｔ８／１６ＴｙｐｅのＬＵＴに格納する。
【００７６】
ＬＵＴ−ｂａｓｅｄである場合、ステップ（１４）において、モニタプロファイルのｉｎｐｕｔＴａｂｌｅ情報をｌｕｔ８／１６ＴｙｐｅのｉｎｐｕｔＴａｂｌｅに格納する。
【００７７】
ステップ（１５）において、モニタプロファイルのＬＵＴ情報をｌｕｔ８／１６ＴｙｐｅのＬＵＴに格納する。
【００７８】
ステップ（１６）において、モニタプロファイルのｏｕｔｐｕｔＴａｂｌｅ情報をｌｕｔ８／１６ＴｙｐｅのＬＵＴに格納する。
【００７９】
ステップ（１７）において、プリンタプロファイルのマトリクス情報を、ｌｕｔ８／１６ＴｙｐｅのＬＵＴに適用する。
【００８０】
ステップ（１８）において、プリンタプロファイルのｉｎｐｕｔＴａｂｌｅ情報を、ｌｕｔ８／１６ＴｙｐｅのＬＵＴに適用する。
【００８１】
ステップ（１９）において、プリンタプロファイルのＬＵＴ情報を、ｌｕｔ８／１６ＴｙｐｅのＬＵＴに適用する。
【００８２】
ステップ（２０）において、プリンタプロファイルのｏｕｔｐｕｔＴａｂｌｅ情報を、ｌｕｔ８／１６ＴｙｐｅのｏｕｔｐｕｔＴａｂｌｅに適用する。
【００８３】
ステップ（２１）において、ｌｕｔ８／１６ＴｙｐｅのデータをＩＣＣプロファイルのＡｔｏＢ０Ｔａｇに格納する。
【００８４】
図５は、画像処理システムが実行する色変換処理のフローチャートである。
【００８５】
ステップ（２２）において、画像を入力する。ステップ（２３）において色変換ＬＵＴを用いて画像を色変換する。ステップ（２４）において、色変換後の画像を出力する。
【００８６】
図６は、モニタプロファイルがｍａｔｒｉｘ−ｂａｓｅｄの場合のデバイスリンクプロファイル作成処理を示す図である。
【００８７】
この場合は、ｌｕｔＢｔｏＡＴｙｐｅ構造のデバイスリンクプロファイルが作成される。なお、図６の（４）〜（９）は、図３のステップ（４）〜（９）に対応する。
【００８８】
ステップ（４）においては、モニタプロファイルＭのＴＲＣタグ情報をｌｕｔＢｔｏＡＴｙｐｅのＢｃｕｒｖｅに格納する。すなわち、モニタプロファイルＭの一次元γテーブル５０１が、デバイスリンクプロファイルＤの一次元γテーブル５２１とされる。
【００８９】
ステップ（５）および（６）において、モニタプロファイルＭのマトリクスタグ情報５０３をｌｕｔＢｔｏＡＴｙｐｅのマトリクスに格納し、プリンタプロファイルＰのマトリクス情報５１１をｌｕｔＢｔｏＡＴｙｐｅのマトリクスと乗算する。これがデバイスリンクプロファイルＤのマトリクス情報５２３とされる。
【００９０】
ステップ（７）において、プリンタプロファイルＰのｉｎｐｕｔＴａｂｌｅ情報がｌｕｔＢｔｏＡＴｙｐｅのＭｃｕｒｖｅに格納される。すなわちプリンタプロファイルＰの一次元γテーブル５１３が、デバイスリンクプロファイルＤの一次元γテーブル５２５とされる。
【００９１】
ステップ（８）において、プリンタプロファイルＰのＬＵＴ情報５１５がデバイスリンクプロファイルＤのＬＵＴとして格納される。
【００９２】
ステップ（９）において、プリンタプロファイルＰのｏｕｔｐｕｔＴａｂｌｅ情報をｌｕｔＢｔｏＡＴｙｐｅのＡｃｕｒｖｅに格納する。すなわちプリンタプロファイルＰの一次元γテーブル５１７が、デバイスリンクプロファイルＤの一次元γテーブル５２９とされる。
【００９３】
図７は、モニタプロファイルがＬＵＴ−ｂａｓｅｄの場合のデバイスリンクプロファイル作成処理を示す図である。
【００９４】
この場合は、ｌｕｔ８/１６Ｔｙｐｅ構造のデバイスリンクプロファイルが作成される。なお、図７の（１４）〜（２０）は、図４のステップ（１４）〜（２０）に対応する。
【００９５】
ステップ（１４）において、モニタプロファイルのｉｎｐｕｔＴａｂｌｅ情報をｌｕｔ８／１６ＴｙｐｅのｉｎｐｕｔＴａｂｌｅに格納する。すなわちモニタプロファイルＭの一次元γテーブル６０１が、デバイスリンクプロファイルＤの一次元γテーブル６２１とされる。
【００９６】
ステップ（１５）〜（１９）において、モニタプロファイルのＬＵＴ情報をｌｕｔ８／１６ＴｙｐｅのＬＵＴに格納し、モニタプロファイルのｏｕｔｐｕｔＴａｂｌｅ情報をｌｕｔ８／１６ＴｙｐｅのＬＵＴに格納する。また、プリンタプロファイルのマトリクス情報を、ｌｕｔ８／１６ＴｙｐｅのＬＵＴに適用する。さらに、プリンタプロファイルのｉｎｐｕｔＴａｂｌｅ情報を、ｌｕｔ８／１６ＴｙｐｅのＬＵＴに適用し、プリンタプロファイルのＬＵＴ情報を、ｌｕｔ８／１６ＴｙｐｅのＬＵＴに適用する。
【００９７】
これにより、モニタプロファイルＭとプリンタプロファイルＰに基づいて、色変換ＬＵＴ（３次元→４次元）６２３が作成される。
【００９８】
ステップ（２０）において、プリンタプロファイルのｏｕｔｐｕｔＴａｂｌｅ情報を、ｌｕｔ８／１６ＴｙｐｅのｏｕｔｐｕｔＴａｂｌｅに適用する。すなわちプリンタプロファイルＰの一次元γテーブル６１７が、デバイスリンクプロファイルＤの一次元γテーブル６２５とされる。
【００９９】
［実施の形態における効果］
【０１００】
本実施の形態によると、ＩＣＣ  Ｖｅｒ.４で用意されているｌｕｔＢｔｏＡＴｙｐｅ構造のデバイスリンクプロファイルを作成することで、モニタプロファイル側のｍａｔｒｉｘによる色変換演算部が、デバイスリンクプロファイルのＬＵＴの中に組み込まれることがなくなる。これにより、モニタプロファイル側のｍａｔｒｉｘ演算部を色変換処理時に、そのままデバイスリンクプロファイルの構造の一部として使用することができるため、色変換の補間精度が向上する。
【０１０１】
本発明は、ｓＲＧＢやＡｄｏｂｅＲＧＢなどで表される汎用的なＲＧＢ色を、ＭＦＰやプリンタのＣＭＹＫ色へ変換する際に、特に効果が高い。
【０１０２】
また、ｐｒｉｖａｔｅタグとして格納を行なうことで、特定の色変換エンジン（例えば自社プリンタ）に対してその精度を提供できる一方、その他の色変換エンジンに対しては従来のＡｔｏＢタグが使用されるため、汎用性を損なうことがない。
【０１０３】
［その他］
【０１０４】
本発明はＭＦＰ、ファクシミリ装置、複写機、ＰＣなどの画像処理装置に対して実施することができる。
【０１０５】
また、上述の実施の形態における処理は、ソフトウエアによって行なっても、ハードウエア回路を用いて行なってもよい。
【０１０６】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１０７】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０８】
【図１】本発明の実施の形態の１つにおける画像処理システムの構成を示すブロック図である。
【図２】画像処理システムの機能構成を示すブロック図である。
【図３】画像処理システムが実行するデバイスリンクプロファイル算出処理を示すフローチャートである。
【図４】図３に続くフローチャートである。
【図５】画像処理システムが実行する色変換処理のフローチャートである。
【図６】モニタプロファイルがｍａｔｒｉｘ−ｂａｓｅｄの場合のデバイスリンクプロファイル作成処理を示す図である。
【図７】モニタプロファイルがＬＵＴ−ｂａｓｅｄの場合のデバイスリンクプロファイル作成処理を示す図である。
【図８】デバイスリンクプロファイルの構造を示す図である。
【図９】一般的なモニタプロファイルの構造を示す図である。
【図１０】一般的なプリンタプロファイルの構造を示す図である。
【図１１】色変換方法の違いによる誤差を示す図である。
【符号の説明】
【０１０９】
１００  画像入力装置、１０１  画像データ送信部、２００  色変換処理装置、２０１  画像データ受信部、２０３  入力画像データ格納部、２０５  色変換部、２０７  色変換ＬＵＴ算出部、２０９  ＩＣＣプロファイル格納部、２１１  出力画像データ格納部、２１３  画像データ送信部、３００  画像出力装置、３０１  画像データ受信部、３０３  画像データ出力部、Ｄ  デバイスリンクプロファイル、Ｍ  モニタプロファイル、Ｐ  プリンタプロファイル。
【図１】
0005012336.tif 000002
【図２】
0005012336.tif 000003
【図３】
0005012336.tif 000004
【図４】
0005012336.tif 000005
【図５】
0005012336.tif 000006
【図６】
0005012336.tif 000007
【図７】
0005012336.tif 000008
【図８】
0005012336.tif 000009
【図９】
0005012336.tif 000010
【図１０】
0005012336.tif 000011
【図１１】
0005012336.tif 000012